(57)【要約】【課題】収束したり折り畳んだりした傘の外径を小さくする。【解決手段】その上端近傍に、周方向に沿って所定間隔をもって収容空間１１を形成した上ろくろ部１２を有する円管形中棒１０と、中棒１０に上下方向に摺動可能に取り付けられている下ろくろ２０と、それぞれの上端が上ろくろ部１２の収容空間１１内に枢支されている複数の親骨３１と、その上端が複数の親骨３１の１つに枢着され、下端が下ろくろ２０に枢着されている複数の受骨５０とを備えた構成とする。また、各親骨３１の上端部は、中棒１０の軸線に向けて曲がっており、傘が収束された状態で、各親骨３１の上端部以外の部分が中棒１０の外周面上にぴったりと当接できるように収容空間１１内に配置されている。【選択図】　図２
2004065858.tif 000002
【特許請求の範囲】
【請求項１】
円管形中棒の上端近傍の外周に、周方向に所定間隔をもって複数の親骨の上端部を上下方向に回動可能に嵌挿して枢支していることを特徴とする傘の骨組み。
【請求項２】
前記各親骨の上端部は、前記中棒の軸線に向けて曲がっており、傘が収束された状態で、各親骨の前記上端部以外の部分が前記中棒の外周面上にぴったりと当接できるように配置されていることを特徴とする請求項１に記載の傘の骨組み。
【請求項３】
円管形中棒の上端近傍に、周方向に所定間隔をもって収容空間を形成した上ろくろ部を設け、該上ろくろ部に、複数の親骨の上端部をそれぞれ前記収容空間内に収容して枢支していることを特徴とする傘の骨組み。
【請求項４】
その上端近傍に、周方向に沿って所定間隔をもって収容空間を形成した上ろくろ部を有する円管形中棒と、
前記中棒に上下方向に摺動可能に取り付けられている下ろくろと、
それぞれの上端が前記上ろくろ部の収容空間内に枢支されている複数の親骨と、
その上端が複数の前記親骨の１つに枢着され、下端が前記下ろくろに枢着されている複数の受骨と
を備えてなることを特徴とする傘の骨組み。
【請求項５】
前記各親骨の上端部は、前記中棒の軸線に向けて曲がっており、傘が収束された状態で、各親骨の前記上端部以外の部分が前記中棒の外周面上にぴったりと当接できるように前記収容空間内に配置されていることを特徴とする請求項３または４に記載の傘の骨組み。
【請求項６】
前記収容空間は、前記中棒の上端から下向きに軸線と平行に延びる凹陥状をなし、前記中棒の管壁が軸心方向へ窪んでなるものであることを特徴とする請求項３乃至請求項５のいずれか１項に記載の傘の骨組み。
【請求項７】
前記収容空間は、前記中棒の上端から下向きに軸線と平行に延びるとともに前記中棒の管壁を軸心方向へ貫通してなる通孔であることを特徴とする請求項３乃至請求項５のいずれか１項に記載の傘の骨組み。
【請求項８】
前記複数の親骨の上端は、前記収容空間とともに貫通した軸部材によって枢支されていることを特徴とする請求項３乃至請求項６のいずれか１項に記載の傘の骨組み。
【請求項９】
前記中棒の上端に、保護キャップが取り付けられており、この保護キャップは、前記中棒の上端面を遮蔽するもので、その中心位置に雌ねじ付き開口が形成してある天板と、該天板の周縁から下向きに突出し前記各収容空間と対応する隙間を有する周壁とからなり、前記開口には雄ねじ付きプラグを有する石突が、前記雌ねじと雄ねじとのねじ締めによって取り付けられていることを特徴とする請求項３乃至請求項８のいずれか１項に記載の傘の骨組み。
【発明の詳細な説明】
【０００１】
【発明の属する技術分野】
本発明は、傘の骨組みに関し、特に、収束された後の外径が縮んで手持ちしやすい傘の骨組みに関する。
【０００２】
【従来の技術】
従来の傘の骨組みは、図６に示すように、中棒１の上端部に、その周縁に形成してある複数の切欠２０１に複数の親骨４０１の上端部をそれぞれ収容して枢支するための上ろくろ２が外嵌固定されている。
【０００３】
【発明が解決しようとする課題】
しかしながら、傘を収束したり折り畳んだりすると、前記中棒１を囲んでいる複数の親骨４０１は、中棒１の上端部に外嵌固定されている上ろくろ２の肉厚で、中棒１にぴったりと当接して収束させることができない。そのため、収束したり折り畳んだりした傘の外径が大きくなり、不便だと感じられる。
【０００４】
そこで、本発明では、収束したり折り畳んだりした後のサイズがもっと小径で、簡単に持ち歩ける傘を構成するための骨組みを提供することを課題とするものである。
【０００５】
【課題を解決するための手段】
前記課題を解決するため、本発明の第１の傘の骨組みは、円管形中棒の上端近傍の外周に、周方向に所定間隔をもって複数の親骨の上端部を上下方向に回動可能に嵌挿して枢支している。
【０００６】
この第１の傘の骨組みでは、前記各親骨の上端部は、前記中棒の軸線に向けて曲がっており、傘が収束された状態で、各親骨の前記上端部以外の部分が前記中棒の外周面上にぴったりと当接できるように配置されていることが好ましい。
【０００７】
具体的には、本発明の第２の傘の骨組みは、円管形中棒の上端近傍に、周方向に所定間隔をもって収容空間を形成した上ろくろ部を設け、該上ろくろ部に、複数の親骨の上端部をそれぞれ前記収容空間内に収容して枢支している。
【０００８】
更に具体的には、本発明の第３の傘の骨組みは、その上端近傍に、周方向に沿って所定間隔をもって収容空間を形成した上ろくろ部を有する円管形中棒と、前記中棒に上下方向に摺動可能に取り付けられている下ろくろと、それぞれの上端が前記上ろくろ部の収容空間内に枢支されている複数の親骨と、その上端が複数の前記親骨の１つに枢着され、下端が前記下ろくろに枢着されている複数の受骨とを備えてなる構成としている。
【０００９】
前記第２および第３の傘の骨組みは、前記各親骨の上端部は、前記中棒の軸線に向けて曲がっており、傘が収束された状態で、各親骨の前記上端部以外の部分が前記中棒の外周面上にぴったりと当接できるように前記収容空間内に配置されていることが好ましい。
【００１０】
また、前記収容空間は、前記中棒の上端から下向きに軸線と平行に延びる凹陥状をなし、前記中棒の管壁が軸心方向へ窪んでなるものであることが好ましい。または、前記収容空間は、前記中棒の上端から下向きに軸線と平行に延びるとともに前記中棒の管壁を軸心方向へ貫通してなる通孔であること構成としてもよい。
【００１１】
さらに、前記複数の親骨の上端は、前記収容空間とともに貫通した軸部材によって枢支されていることが好ましい。
【００１２】
さらにまた、前記中棒の上端に、保護キャップが取り付けられており、この保護キャップは、前記中棒の上端面を遮蔽するもので、その中心位置に雌ねじ付き開口が形成してある天板と、該天板の周縁から下向きに突出し前記各収容空間と対応する隙間を有する周壁とからなり、前記開口には雄ねじ付きプラグを有する石突が、前記雌ねじと雄ねじとのねじ締めによって取り付けられていることが好ましい。
【００１３】
このように、本発明の傘の骨組みは、従来例に示す別体の上ろくろの代わりに、円管形中棒の上端近傍に、周方向に所定間隔をもって収容空間を形成してなる上ろくろ部を形成している。そして、前記上ろくろ部の収容空間内に、複数の親骨の上端部をそれぞれ収容して枢支しており、且つ、各親骨の上端部は、前記中棒の軸線に向けて曲がっているため、傘が収束された状態では、各親骨の前記上端部以外の部分が前記中棒の外周面上にぴったりと当接することができる。これにより、収束したり折り畳んだりした後の傘の外径を小径にすることができる。
【００１４】
【発明の実施の形態】
以下、本発明の実施の形態を図面を参照して詳細に説明する。なお、以下の説明において、そのサイズに拘わらず、略同一の機能及び構成を有する構成要素については、同一符号を付し、重複説明は必要な場合にのみ行う。
【００１５】
図１から図４は本発明の第１実施形態に係る傘の骨組みを示す。この傘の骨組みは、図１に示すように、その上端近傍に、周方向に沿って所定間隔をもって収容空間１１を逐一に形成した上ろくろ部１２を有する円管形中棒１０と、該中棒１０に上下方向に摺動可能に取り付けられている下ろくろ２０と、それぞれの上端が前記上ろくろ部１２の周りに沿って収容空間１１内に枢支されている複数の親骨３１と、それぞれ上下二端を有し、その上端が複数の親骨３１の１つに枢着され、下端が下ろくろ２０に枢着されている複数の受骨５０とからなる。
【００１６】
前記各親骨３１の上端部は、図４に示すように、中棒１０の軸線に向けて曲がっており、傘が収束された状態で、各親骨３１の上端部以外の部分が中棒１０の外周面上にぴったりと当接することができるように収容空間１１内に配置されている。また、この各親骨３１の上端部は、前記収容空間１１とともに貫通した軸部材１３によって枢支されている。これにより、本実施形態の骨組みを適用した傘が収束した場合、全体の外径を最小限に縮めることができる。
【００１７】
本実施形態における前記収容空間１１は、図２および図４に示すように、中棒１０の上端から下向きに軸線と平行に延びる凹陥状をなし、前記中棒１０の管壁が軸心方向へ窪んでなるものである。
【００１８】
なお、前記中棒１０の上端には、保護キャップ４０が取り付けられている。この保護キャップ４０は、中棒１０の上端面を遮蔽するもので、その中心位置に雌ねじ付き開口４２が形成してある天板４３と、該天板４３の周縁から下向きに突出し、前記各収容空間１１と対応する隙間を有する櫛形の周壁４１とからなる。前記櫛形の周壁４１は、その各櫛が前記複数の収容空間１１内に収容・枢支されている各親骨３１とずれるように配置されている。これにより、各親骨３１は、前記中棒１０に対して左右に揺動することなく、上下方向に回動することができる。また、前記開口４２には、雄ね動じ付きプラグ７１を有する石突７０が、前記雌ねじと雄ねじとのねじ締めによって取り付けられている。
【００１９】
図５は第２実施形態の傘の骨組みを示す。この第２実施形態の傘の骨組みは、中棒８０の上端部には、収容空間として、該中棒８０の上端から下向きに軸線と平行に延びるとともに中棒８０の管壁を軸心方向に貫通してなる通孔８１が周方向に所定間隔をもって設けられている点で、前記第１実施形態と相違している。
【００２０】
前記各通孔８１内には、親骨３１の上端部がそれぞれ配置され、配設した複数の親骨３１が円環状の軸部材８２によって纏めて嵌挿枢支されている。これにより、複数の親骨３１は、前記第１実施形態と同様に、中棒８０の上端に周方向に沿って所定間隔をもって配置され、前記通孔８１からなる収容空間内に上下方向に回動可能に枢支されている。
【００２１】
この第２実施形態の骨組みを適用した傘は、第１実施形態と同様に、各親骨３１の上端部が、前記中棒８０の軸線に向けて曲がっており、傘が収束された状態で、各親骨３１の上端部以外の部分が中棒８０の周面にぴったりと当接することができる。そのため、傘全体の外径を最小限に縮めることができる。
【００２２】
なお、本発明は、前記実施形態の構成に限定されるものではない。即ち、前記実施形態は、あくまでも本発明の技術的内容を明らかにする意図のものにおいてなされたものであり、本発明はこの実施形態に限定して狭義に解釈されるものではなく、本発明の精神とクレームに述べられた範囲で、いろいろと変更して実施できるものである。
【００２３】
【発明の効果】
以上の説明から明らかなように、本発明の骨組みにより構成した傘は、複数の親骨を中棒にぴったりと当接して収束するできるため、従来の傘と比較して傘全体の外径を小さくして携帯に便利な寸法にすることができる。
【図面の簡単な説明】
【図１】本発明の第１実施形態に係る傘の骨組みを示す側面図である。
【図２】図１の一部を分解した状態を示す斜視図である。
【図３】保護キャップを中棒の上端に取り付けた状態を示す部分斜視図である。
【図４】第１実施形態の傘の骨組みを収束した状態を示す断面図である。
【図５】本発明の第２実施形態に係る傘の骨組みの要部を分解した状態を示す斜視図である。
【図６】従来の傘の骨組みを収束した状態を示す断面図である。
【符号の説明】
１０…中棒
１１…収容空間
１２…上ろくろ部
１３…軸部材
２０…下ろくろ
３１…親骨
４０…保護キャップ
４１…周壁
４２…雌ねじ付き開口
４３…天板
５０…受骨
７０…石突
７１…雄ねじ付きプラグ
８０…中棒
８１…通孔
８２…軸部材
【図１】
2004065858.tif 000003
【図２】
2004065858.tif 000004
【図３】
2004065858.tif 000005
【図４】
2004065858.tif 000006
【図５】
2004065858.tif 000007
【図６】
2004065858.tif 000008